(57)【要約】【課題】陳列棚の前面に設けられた棚札表示の表示内容の変更を簡略化する。【解決手段】陳列棚システム１０１は、スクリーン７とプロジェクタ設置部１９ａと読込部１０８とを備える。読込部１０８から外部記憶媒体２０１に記憶されている画像データが読み込まれると、読み込まれた画像データは投影データとしてプロジェクタ装置に送信される。プロジェクタ設置部１９ａに設置されたプロジェクタ装置１４は、投影データを受信して一画面構成のプロジェクタ画像を生成してスクリーン７の裏面側に投影する。スクリーン７は陳列棚１の前方領域に設けられ、裏面側から投影されたプロジェクタ画像を表面側まで透過投影する。【選択図】図１
2008194204.tif 000002
【特許請求の範囲】
【請求項１】
陳列棚の前方領域に位置付けられ、裏面側から投影されたプロジェクタ画像を表面側に透過投影可能な透過型スクリーンと、
受信した投影データを基に一画面構成のプロジェクタ画像を生成して前記透過型スクリーンに投影するプロジェクタ装置が配置されるプロジェクタ設置部と、
画像データを記憶している外部記憶媒体からデータを読み込む読込部と、
情報処理を実行する情報処理部と、
前記情報処理部が、前記読込部から読み込まれた処理対象の画像データを投影データとして前記プロジェクタ装置に送信する画像送信処理を実行する手段と、
を備える陳列棚システム。
【請求項２】
前記外部記憶媒体には、複数の画像データと、前記情報処理部が当該複数の画像データの中から一の画像データを処理対象として特定する順序およびタイミングを示すスケジュールとが記憶され、
前記情報処理部が実行する前記画像送信処理では、当該情報処理部が、前記読込部から読み込まれた前記スケジュールに従って、前記複数の画像データの中から一の画像データを処理対象として特定する、
請求項１記載の陳列棚システム。
【請求項３】
前記情報処理部は、前記読込部が前記外部記憶媒体を認識すると前記画像送信処理を開始する、請求項１または２記載の陳列棚システム。
【請求項４】
前記読込部は、第１の読込部と第２の読込部とにより構成され、
前記情報処理部が実行する前記画像送信処理では、当該情報処理部が、前記第１の読込部から読み込まれた処理対象の画像データの一部の領域に前記第２の読込部から読み込まれた処理対象の画像データを割り当てた上で投影データとして前記プロジェクタ装置に送信する、
請求項１から３のいずれか一に記載の陳列棚システム。
【請求項５】
前記情報処理部が実行する前記画像送信処理では、当該情報処理部が、前記読込部から読み込まれた第１の処理対象の画像データの一部の領域に当該読込部から読み込まれた第２の処理対象の画像データを割り当てた上で投影データとして前記プロジェクタ装置に送信する、
請求項１から３のいずれか一に記載の陳列棚システム。
【発明の詳細な説明】
【技術分野】
【０００１】
本発明は、陳列棚の前面に設けられた棚札表示の表示内容を情報処理機器によって制御する陳列棚システムに関する。
【背景技術】
【０００２】
従来、スーパーマーケットやコンビニエンスストア、ホームセンター、デパート内の各種商品の売場等で、品物を陳列する陳列棚の前面に長尺の表示装置を配置し、制御端末による制御によって表示装置に品物価格などの棚札表示としての各種情報を表示する陳列棚システムが広く用いられている。例えば、特許文献１には、液晶パネルや有機ＥＬパネル等によって棚札表示を行う電子棚札システムが、特許文献２には、液晶ディスプレイやＬＥＤディスプレイ等で実現された表示部を設けた電子棚ラベルシステムが、それぞれ開示されている。
【０００３】
【特許文献１】特開２００５−０９９８８８公報
【特許文献２】特開平０７−０１７６０８号公報
【発明の開示】
【発明が解決しようとする課題】
【０００４】
特許文献１および特許文献２に記載されている陳列棚システムでは、陳列棚に配置されている表示装置に表示される表示内容は、制御端末やデータベースサーバによって制御される。このような陳列棚システムでは、価格表示、品物名称、キャッチフレーズ、イラストなどのさまざまな情報がまとめられて画像データに一体化され、制御端末によって一体化された画像データが表示装置に表示される。そのため、これらの情報を変更するためには、表示装置に送信される画像データを、画像生成ソフトウェアなどを用いて編集し直して再生成しなくてはならず手間がかかる。特に、画像生成ソフトウェアを操作する技術を持ち合わせていない者は、このような編集作業を行うことができないために、棚札表示として表示される内容を変更することができない。
【０００５】
本発明の目的は、陳列棚の前面に設けられた棚札表示の表示内容の変更を簡略化することである。
【課題を解決するための手段】
【０００６】
本発明の陳列棚システムは、陳列棚の前方領域に位置付けられ、裏面側から投影されたプロジェクタ画像を表面側に透過投影可能な透過型スクリーンと、受信した投影データを基に一画面構成のプロジェクタ画像を生成して前記透過型スクリーンに投影するプロジェクタ装置が配置されるプロジェクタ設置部と、画像データを記憶している外部記憶媒体からデータを読み込む読込部と、情報処理を実行する情報処理部と、前記情報処理部が、前記読込部から読み込まれた処理対象の画像データを投影データとして前記プロジェクタ装置に送信する画像送信処理を実行する手段と、を備える。
【発明の効果】
【０００７】
本発明によれば、外部記憶媒体に記憶されている画像データが読込部から読み込まれスクリーンに表示され、外部記憶媒体を替えるだけでスクリーンに表示される表示内容が変化するため、陳列棚の前面に設けられた棚札表示の表示内容の変更を簡略化することができる。
【発明を実施するための最良の形態】
【０００８】
［システムの概要］
本発明の実施の一形態を図１ないし図１３に基づいて説明する。本実施の形態は、スーパーマーケットへの適用に適した陳列棚システム１０１について紹介する。
【０００９】
図１は、陳列棚システム１０１の全体の模式図である。
【００１０】
本実施の形態の陳列棚システム１０１は、店舗内に設置される陳列棚１と、陳列棚１の内部に設置されるプロジェクタ装置１４と、プロジェクタ装置１４と接続されているコンピュータ１６と、により構成されている。
【００１１】
陳列棚１は、品物４を載置可能な載置台６を備えている。載置台６は、側面を一対の側板３（図２参照）に支持される棚板であり、それぞれ異なる高さ位置に三段設けられている。それぞれの載置台６（６ａ、６ｂ、６ｃ）の上部には、品物４を載置可能な載置空間が形成されている。載置台６ａの前端の下方には、スクリーン７ａが設けられている。また、載置台６ｂの前端の下方には、スクリーン７ｂが設けられている。
【００１２】
陳列棚１には、その上部を覆う天板２が設けられている。天板２の前端の下方にも、スクリーン７ａ、７ｂと同様に、トップスクリーン７ｔが設けられている。
【００１３】
このように陳列棚１の前方領域に位置づけられたスクリーン７（７ｔ、７ａ、７ｂ）は、例えば磨りガラス様の構造を備え、裏面側から投影されるプロジェクタ画像を表面側に透過投影可能な透過型のものであり、天板２および載置台６の幅一杯に切れ目無く形成されている。
【００１４】
プロジェクタ装置１４は、陳列棚１の内部に設けられているプロジェクタ設置部１９ａに配置されている。プロジェクタ装置１４は、受信した投影データを基に一画面で構成されたプロジェクタ画像を生成して、プロジェクタ装置１４の前面に設けられたレンズ１５から投射し、投影鏡２４（２４ｔ、２４ａ、２４ｂ）を経由させてスクリーン７に投影する、例えば液晶プロジェクタである。プロジェクタ装置１４は、接続ケーブル１０２を介して、陳列棚１の内部に設置されているコンピュータ１６と接続している。そして、プロジェクタ装置１４は、コンピュータ１６から送信される投影データを受信し、受信した投影データに基づく一画面で構成されたプロジェクタ画像を生成し、生成したプロジェクタ画像をスクリーン７に投影する。
【００１５】
コンピュータ１６はノート型パソコンであり、陳列棚１の内部に、陳列棚１の底面を構成する底板１３の上に載置されている。コンピュータ１６には、各種の情報処理を実行する情報処理部３０１が内蔵されている。コンピュータ１６には、ＵＳＢハブ１０７が接続されている。このＵＳＢハブ１０７は、図１に示すように、最下段の載置台６ｃの奥側に載置されている。ＵＳＢハブ１０７には、第１の読込部であるメインＵＳＢポート１０８ｚ、第２の読込部である第１ＵＳＢポート１０８ｔ、同じく第２の読込部である第２ＵＳＢポート１０８ａ、および、同じく第２の読込部である第３ＵＳＢポート１０８ｂを備えている。これらの４つのＵＳＢポート１０８（１０８ｚ、１０８ｔ、１０８ａ、１０８ｂ）は、ＵＳＢハブ１０７の正面側に、可搬性のある外部記憶媒体であるＵＳＢメモリスティック２０１を装着可能に開口して横一列に設けられている。ＵＳＢポート１０８はスクリーン７に表示されるプロジェクタ画像の画像データの領域と対応づけられている。すなわち、メインＵＳＢポート１０８ｚは、全てのスクリーン７（７ｔ、７ａ、７ｂ）に投影されるプロジェクタ画像全体と対応している。また、第１ＵＳＢポート１０８ｔは、プロジェクタ画像のうちトップスクリーン７ｔに投影される画像領域の一部に対応している。また、第２ＵＳＢポート１０８ａは、プロジェクタ画像のうちスクリーン７ａに投影される画像領域の一部に対応している。また、第３ＵＳＢポート１０８ｂは、プロジェクタ画像のうちスクリーン７ｂに投影される画像領域の一部に対応している。そして、ＵＳＢメモリスティック２０１がＵＳＢポート１０８に装着されると、その装着されたＵＳＢポート１０８に対応したスクリーン７に表示される表示内容が変化する。
【００１６】
ＵＳＢメモリスティック２０１には、一または二以上の画像データ、および、これらの画像データを表示する順序およびタイミングを示すスケジュールが記憶されている。ＵＳＢメモリスティック２０１に記憶されている画像データは、画像編集ソフトがインストールされている外部コンピュータ１５１上で予め編集生成されたものである。外部コンピュータ１５１は商品情報管理データベース１５２と接続しているため、外部コンピュータ１５１上で編集生成されＵＳＢメモリスティック２０１に記憶される画像データには、陳列棚１に陳列される品物４の価格や名称、産地などの各種の情報を含めることが可能である。
【００１７】
以上のように構築されたシステム上で、情報処理部３０１は、情報処理部３０１がＵＳＢポート１０８に装着されたＵＳＢメモリスティック２０１に記憶されている画像データを、スクリーン７に投影する投影データとしてプロジェクタ装置１４に送信する画像送信処理を実行する。
【００１８】
より詳細には、情報処理部３０１は、ＵＳＢポート１０８ｔ、１０８ａ、１０８ｂにＵＳＢメモリスティック２０１ｔ、２０１ａ、２０１ｂが装着されている間、第１ＵＳＢポート１０８ｔに装着されたＵＳＢメモリスティック２０１ｔに記憶されている画像データ、第２ＵＳＢポート１０８ａに装着されたＵＳＢメモリスティック２０１ａに記憶されている画像データ、および、第３ＵＳＢポート１０８ｂに装着されたＵＳＢメモリスティック２０１ｂに記憶されている画像データもＲＡＭ３０４に一時記憶する一時記憶処理を実行している。以下、第２の読込部（ＵＳＢポート１０８ｔ、１０８ａ、１０８ｂ）から読み込まれたＵＳＢメモリスティック２０１ｔ、２０１ａ、２０１ｂに記憶されていた画像データを「部分画像データ」と表記する。
【００１９】
ここで、情報処理部３０１は、メインＵＳＢポート１０８ｚにＵＳＢメモリスティック２０１ｚが装着されると、画像送信処理を開始する。情報処理部３０１は、メインＵＳＢポート１０８ｚに装着されたＵＳＢメモリスティック２０１ｚに記憶されている画像データを読み込んで、ＲＡＭ３０４（図５参照）に一時的に記憶する。以下、第１の読込部（メインＵＳＢポート１０８ｚ）から読み込まれたＵＳＢメモリスティック２０１ｚに記憶されていた画像データを「背景画像データ」と表記する。
【００２０】
続く処理として、情報処理部３０１は、ＲＡＭ３０４に記憶されている背景画像データの一部の領域に、同じくＲＡＭ３０４に記憶されている部分画像データを割り当てて、背景画像データの上に部分画像データを重ね合わせて合成する。情報処理部３０１は、このようにして合成させた背景画像データを、投影データとしてプロジェクタ装置１４に送信する。
【００２１】
ＵＳＢメモリスティック２０１にスケジュールが記憶されている場合、情報処理部３０１は、記憶されているスケジュールに従って、ＵＳＢメモリスティック２０１に記憶されている複数の画像データの中から一の画像データを処理対象として特定した上で画像送信処理を実行する。
［構造］
本実施の形態の陳列棚システム１０１を構成する陳列棚１、および、コンピュータ１６について、さらに詳しく説明する。
【００２２】
図２は、陳列棚１の全体の外観斜視図である。陳列棚１の外観構成について、図２に基づいて説明する。
【００２３】
陳列棚１は、その枠組みを、一対の側板３に挟まれる天板２、背板１０および下部前板１１によって構成される。
【００２４】
天板２は、陳列棚１の上部を覆うように水平となるように固定されている。天板２の前端の下方には、トップスクリーン７ｔが天板２および一対の側板３に固定されて、下方向に傾斜して設置されている。
【００２５】
背板１０は、陳列棚１の背面に、下辺を床面に接して一対の側板３に挟まれて鉛直となるように固定されている。背板１０の上部は、天板２よりも上方に突出している。
【００２６】
下部前板１１は、陳列棚１の前面の下方に、下辺を床面に接して、鉛直となるように固定されている。
【００２７】
陳列棚１には、品物４を載置可能な三段の載置台６が配置されている。すなわち、陳列棚１の下方には最下段の載置台６ｃが配置され、順次上方に向け中段の載置台６ｂ、最上段の載置台６ａが配置されている。各載置台６（６ａ、６ｂ、６ｃ）はそれぞれ一対の側板３に挟まれて水平となるように固定され、各載置台６の上部に品物４を載置可能な載置空間を形成している。最下段の載置台６ｃの前端は、下部前板１１の上端と接続されている。また、載置台６ａの前端の下方には、載置台６ａおよび一対の側板３に固定されてスクリーン７ａが下方向に傾斜して配置されている。また、載置台６ｂの前端の下方には、載置台６ｂおよび一対の側板３に固定されてスクリーン７ｂが鉛直に配置されている。
【００２８】
各スクリーン７（７ｔ、７ａ、７ｂ）は、陳列棚１の内部に設けられる複数枚の反射鏡を備える反射光学系において、プロジェクタ装置１４の内部に設けられている液晶表示装置を物体面として、その液晶表示装置と共役の関係にある像面２９に近い位置に配置される。
【００２９】
各載置台６の奥側端部には、載置台６の奥行きを規定する奥板１２が立設配置される。各奥板１２の最上部からは、載置台６の設置方向に沿って載置台６の天井部をなす天井板９（図３参照）が配置されている。天井板９はスクリーン７の裏面側に、プロジェクタ装置１４から投影されるプロジェクタ画像を遮らないように水平にそれぞれ配置されている。各天井板９は、その前端を各天井板９の上方に配置されている各スクリーン７の下端に接続する。
【００３０】
陳列棚１の外観を構成する天板２、側板３、載置台６、天井板９、背板１０、下部前板１１および奥板１２は、いずれも遮光性のある平板形状の部材で形成されており、またこれらは互いに、陳列棚１の内部に光を侵入させないように、隙間を形成することなく接続されている。
【００３１】
図３は、陳列棚１の縦断断面図である。陳列棚１の内部構成について、図３に基づいて説明する。
【００３２】
陳列棚１の内部空間で各天井板９の上方には、載置台６や天板２と平行に平面状の広がりをもった段部画像投影空間１７が形成されている。各段部画像投影空間１７は、陳列棚１の後方から前方に向かって、各スクリーン７の裏面側に投影されるプロジェクタ画像が通過する空間である。
【００３３】
また、陳列棚１の内部空間の奥側で背板１０と奥板１２との間には、背板１０と平行に鉛直方向の広がりをもった奥側画像投影空間１８が形成されている。
【００３４】
また、陳列棚１の載置台６ｃの下方で下部前板１１と背板１０との間には、下部空間１９が形成されている。下部空間１９の奥側には、底板１３の上にプロジェクタ設置部１９ａが設けられている。プロジェクタ設置部１９ａは、プロジェクタ装置１４の光学軸を上方向に向けて、プロジェクタ画像を奥側画像投影空間１８に投射する向きにプロジェクタ装置１４を配置する形状に構成されている。
【００３５】
陳列棚１は、また、奥側画像投影空間１８および下部空間１９に、３枚の投影鏡２４（２４ｔ、２４ａ、２４ｂ）から構成される光学系を備えている。これらの投影鏡２４はいずれも、プロジェクタ画像を反射する鏡面を一方の面に備える平面鏡である。
【００３６】
投影鏡２４は、陳列棚１の奥側画像投影空間１８でプロジェクタ装置１４の上方に配置される。これらの３枚の投影鏡２４は、それぞれスクリーン７に対応づけて、各投影鏡２４の上端を対応するスクリーン７の上縁部の高さ位置に合わせ、プロジェクタ画像を偏向させてスクリーン７の裏面側に投影する向きに配置される。すなわち、投影鏡２４ｔはプロジェクタ画像をトップスクリーン７ｔの裏面側に投影する向きに、投影鏡２４ａはプロジェクタ画像をスクリーン７ａの裏面側に投影する向きに、投影鏡２４ｂはプロジェクタ画像をスクリーン７ｂの裏面側に投影する向きに、それぞれ配置される。そして、これらの投影鏡２４は、それぞれ陳列棚１の前後方向に位置を違えて、下方から入射されるプロジェクタ画像を互いに遮らない位置関係に配置される。
【００３７】
以上のような位置関係に配置された投影鏡２４により構成される光学系によって、プロジェクタ装置１４から投影されたプロジェクタ画像は、投影鏡２４によって分割されて、個々のスクリーン７の裏面側まで導かれる。
【００３８】
図４は、コンピュータ１６の全体の外観斜視図である。コンピュータ１６の外観構成について、図４に基づいて説明する。
【００３９】
コンピュータ１６は、本体筐体１０３にディスプレイ１０４およびキーボード１０５が一体的に構成されているノート型パソコンである。本体筐体１０３には、マウス等のポインティングデバイス１０６と、４つのＵＳＢポート１０８を横一列に備えるＵＳＢハブ１０７とが接続されている。各ＵＳＢポート１０８はいずれも、ＵＳＢメモリスティック２０１を装着可能な形状に開口されている。各ＵＳＢポート１０８の内側には、ＵＳＢメモリスティック２０１に備わる通信部と接触して、ＵＳＢメモリスティック２０１に記憶されているデータと通信を行う図示しない端子が設けられている。
【００４０】
コンピュータ１６は、陳列棚１の内部に設けられているプロジェクタ装置１４と、接続ケーブル１０２を介して接続されている。
【００４１】
図５は、コンピュータ１６のハードウェア構成を示すブロック図である。コンピュータ１６のハードウェア構成について、図５に基づいて説明する。
【００４２】
コンピュータ１６は、情報処理部３０１を内部に備えている。情報処理部３０１は、各種演算処理を実行するＣＰＵ３０２と、ＢＩＯＳ等の固定データを固定的に記憶するＲＯＭ３０３と、各種可変データを書き替え自在に記憶してワークエリアとして使用されるＲＡＭ３０４とを備えて構成されている。情報処理部３０１には、ＨＤＤ３０６とＣＤ−ＲＯＭドライブ３０７とが、バスライン３０５を介してデータ通信自在に接続されている。一例として、ＯＳ３１０（オペレーティングシステム、図６参照）や各種のアプリケーションプログラムを記憶するＣＤ−ＲＯＭ３０８からＣＤ−ＲＯＭドライブ３０７が情報を読み取り、これをＨＤＤ３０６にインストールすることができるように構成されている。
【００４３】
また、図４に外観態様を示した前述のディスプレイ１０４、キーボード１０５およびポインティングデバイス１０６も、バスライン３０５を介して情報処理部３０１に接続されている。ディスプレイ１０４は、情報処理部３０１に対する出力機器となり、キーボード１０５およびポインティングデバイス１０６は、情報処理部３０１に対する入力機器となる。
【００４４】
また、図４に外観態様を示した前述のＵＳＢハブ１０７も、バスライン３０５を介して情報処理部３０１に接続されている。ＵＳＢハブ１０７には、４つのＵＳＢポート１０８が設けられている。４つのＵＳＢポート１０８は、メインＵＳＢポート１０８ｚ、第１ＵＳＢポート１０８ｔ、第２ＵＳＢポート１０８ａ、および、第３ＵＳＢポート１０８ｂである。情報処理部３０１は、ＵＳＢポート１０８を介して、ＵＳＢメモリスティック２０１に記憶されているデータを読み込んだり、ＵＳＢメモリスティック２０１にデータを書き込んだりすることが可能である。
【００４５】
さらに、情報処理部３０１には出力端子３０９も接続されている。この出力端子３０９は、例えばミニＤサブ１５ピン端子であり、接続ケーブル１０２を接続してプロジェクタ装置１４と互いに接続することによって、コンピュータ１６とプロジェクタ装置１４との間の通信を可能とする。
【００４６】
図６は、プロジェクタ装置１４から投射されるプロジェクタ画像の基礎となる投影データを編集生成するためのコンピュータ１６上での仕組みを例示する模式図である。コンピュータ１６上で投影データを編集生成する仕組みについて、図６に基づいて説明する。
【００４７】
コンピュータ１６のＨＤＤ３０６には、プロジェクタ装置１４から投影されるプロジェクタ画像の基礎となる投影データの編集および生成を可能とするアプリケーションプログラムとして、画像形成ソフトウェア３１１がインストールされている。また、ＨＤＤ３０６には、画像形成ソフトウェア３１１と共に利用される画像ライブラリ３１２がインストールされている。画像形成ソフトウェア３１１によれば、ＵＳＢメモリスティック２０１に記憶されているスケジュールに従って、ＵＳＢメモリスティック２０１に記憶されている複数の画像データの中から一の画像データを処理対象の画像データとして読み込み、コンピュータ１６上でその特定された画像データを用いて投影データを編集生成することが可能である。例えば、読み込まれた画像データに文字や画像を重層させたり、一部に透明の領域が存在する画像を重層させて下層の画像データが透過して表示されるように重層させたりすることが可能である。また、画像形成ソフトウェア３１１によれば、投影データの編集生成に際して、ＵＳＢメモリスティック２０１に記憶されている画像データを利用して、画像ライブラリ３１２に含まれている各種のモデル画像を投影データ上に貼り付ける編集を行うこともできる。画像ライブラリ３１２には、例えば、各種の食品等の写真データや絵柄データなどのモデル画像が記憶されている。
【００４８】
画像形成ソフトウェア３１１は、その起動に伴って、そのプログラムコードの全部又は一部がＲＡＭ３０４にコピーされ、画像形成ソフトウェア３１１に基づく処理速度の高速化が図られる。また、このような画像形成ソフトウェア３１１のＲＡＭ３０４へのコピーに付随して、画像ライブラリ３１２の全部又は一部もＲＡＭ３０４にコピーされ、処理速度の高速化が図られる。
【００４９】
情報処理部３０１は、画像形成ソフトウェア３１１によって編集生成した投影データを、出力端子３０９から接続ケーブル１０２を介してプロジェクタ装置１４に送信することができる。
【００５０】
図７は、コンピュータ１６上で編集生成されたプロジェクタ画像の基礎となる投影データの一例を示す模式図である。図５および図６に基づいて前述したハードウェア構成およびソフトウェア構成のコンピュータ１６を用いて編集生成された投影データについて、図７に基づいて説明する。なお、図７に示す投影データは、コンピュータ１６のディスプレイ１０４に表示された態様として示している。
【００５１】
プロジェクタ装置１４から投影されるプロジェクタ画像の基礎となる投影データは一画面で構成されている（図７（ａ）参照）。投影データには、投影鏡２４に偏向されてその投影鏡２４に対応する各スクリーン７に投影される投影画像領域４０１が含まれる。より詳細には、プロジェクタ画像の基礎となる投影データには、投影鏡２４ｔに偏向されてトップスクリーン７ｔに投影される投影画像領域４０１ｔと、投影鏡２４ａに偏向されてスクリーン７ａに投影される投影画像領域４０１ａと、投影鏡２４ｂに偏向されてスクリーン７ｂに投影される投影画像領域４０１ｂとが含まれる。投影画像領域４０１ｔ、４０１ａ、４０１ｂはそれぞれ、対応するスクリーン７ｔ、７ａ、７ｂの形状にあわせた帯状の矩形形状である。
【００５２】
また、投影画像領域４０１（４０１ｔ、４０１ａ、４０１ｂ）の一部には部分画像領域４０２が含まれている。より詳細には、投影画像領域４０１ｔには、その領域と上下幅がほぼ同じで左右幅が短い部分画像領域４０２ｔが含まれている。また、投影画像領域４０１ａの下方には、その領域と左右幅がほぼ同じ部分画像領域４０２ａが含まれている。また、投影画像領域４０１ｂの下方には、その領域と左右幅がほぼ同じ部分画像領域４０２ｂが含まれている。投影データ中、投影画像領域４０１以外の領域はブラックアウトされている。
【００５３】
コンピュータ１６上で、投影画像領域４０１には、各種の食品等のモデル画像や、ＰＯＰ書体やゴシック書体等の各種書体の文字を表現した画像で構成されている投影画像領域４０１と同じ大きさの背景画像４０３（図７（ｂ）参照）が割り当てられる。同様に、コンピュータ１６上で、部分画像領域４０２には、背景画像４０３と同様に構成されている部分画像領域４０２と同じ大きさの部分画像４０４（図７（ｂ）参照）が割り当てられる。背景画像４０３および部分画像４０４は、ＵＳＢメモリスティック２０１に記憶されているものであり、情報処理部３０１がＵＳＢポート１０８に装着されたＵＳＢメモリスティック２０１から読み込んだものである。
【００５４】
投影データは、画像形成ソフトウェア３１１によって、コンピュータ１６上で背景画像４０３の上に部分画像４０４が重層されて生成される。より詳細には、投影画像領域４０１ｔの領域に背景画像４０３ｔが割り当てられ、この背景画像４０３ｔに重層させて部分画像領域４０２ｔに部分画像４０４ｔが割り当てられる。同様に、投影画像領域４０１ａの領域に背景画像４０３ａが割り当てられ、この背景画像４０３ａに重層させて部分画像領域４０２ａに部分画像４０４ａが割り当てられる。同様に、投影画像領域４０１ｂの領域に背景画像４０３ｂが割り当てられ、この背景画像４０３ｂに重層させて部分画像領域４０２ｂに部分画像４０４ｂが割り当てられる。このように背景画像４０３の上に部分画像４０４を重層させることによって、コンピュータ１６上で投影データが生成される。
【００５５】
コンピュータ１６上で生成された投影データは、プロジェクタ装置１４に送信される。
【００５６】
図７に示した一例について説明する。プロジェクタ装置１４から投射される画像データは、図７（ｂ）に示すような各画像によって構成されている。すなわち、背景画像４０３ｔは、背景が水色に塗りつぶされており、この領域の中に複数の白い雲の絵柄表示で構成され、また、部分画像領域４０２ｔは、「大特価！！野菜セール」というゴシック書体の文字表示で構成されている。同様に、背景画像４０３ａは、左から順に並んだ、「白菜」の文字表示および絵柄表示、「とうもろこし」の文字表示および絵柄表示、「キャベツ」の文字表示および絵柄表示、「にんじん」の文字表示および絵柄表示で構成され、また、部分画像４０４ａは、背景画像４０３ａに表示された各野菜に対応する価格表示で構成されている。同様に、背景画像４０３ｂは、左から順に並んだ、「なす」の文字表示および絵柄表示、「かぼちゃ」の文字表示および絵柄表示、「ピーマン」の文字表示および絵柄表示、「ねぎ」の文字表示および絵柄表示で構成され、また、部分画像４０４ｂは、背景画像４０３ｂに表示された各野菜に対応する価格表示で構成されている。また、部分画像４０４ｔの一部で「大特価！！野菜セール」の周辺部分の領域は透明に設定されている。これらの絵柄表示や文字表示は、画像ライブラリ３１２から取得可能なものである。背景画像４０３はメインＵＳＢポート１０８ｚに装着されたＵＳＢメモリスティック２０１ｚに、部分画像４０４ｔは第１ＵＳＢポート１０８ｔに装着されたＵＳＢメモリスティック２０１ｔに、部分画像４０４ａは第２ＵＳＢポート１０８ａに装着されたＵＳＢメモリスティック２０１ａに、部分画像４０４ｂは第３ＵＳＢポート１０８ｂに装着されたＵＳＢメモリスティック２０１ｂに、それぞれ記憶されているものである。情報処理部３０１は、各ＵＳＢポート１０８に装着されているＵＳＢメモリスティック２０１から画像データを取得して、画像形成ソフトウェア３１１上で投影データを生成する。
【００５７】
図８は、外部記憶媒体（ＵＳＢメモリスティック２０１）に記憶されているデータを示す模式図である。続いて、ＵＳＢポート１０８に装着されるＵＳＢメモリスティック２０１に記憶されているデータについて、図８に基づいて説明する。
【００５８】
ＵＳＢメモリスティック２０１には、複数の画像データ５０１、および、スケジュール５０２が、それぞれファイルの態様で記憶されている。
【００５９】
画像データ５０１は、画像編集ソフトがインストールされている外部コンピュータ１５１（図１参照）を用いて予め編集生成されて、コンピュータ１６が読み取ることができる形式でＵＳＢメモリスティック２０１に記憶されている。画像データ５０１にはコンピュータ１６がその画像データ５０１を特定できるように、画像データ５０１に固有の画像ファイル名が名付けられている。このような画像データ５０１は、例えば、ＪＰＥＧ形式で保存されたバイナリファイルである。
【００６０】
スケジュール５０２には、図８に示すように、画像データの画像ファイル名５０３および切替タイミング５０４が対応付けられて記憶されている。画像ファイル名５０３は、情報処理部３０１が画像送信処理を実行する際の、処理対象となる画像データの順番に並べられている。切替タイミング５０４は、情報処理部３０１が画像送信処理を実行する際に、現在処理対象となっている画像データを次の画像データに切り替えるタイミングを示している。このスケジュール５０２も、一つのファイルの態様として、ＵＳＢメモリスティック２０１に記憶保存されている。
【００６１】
以上に述べたような構成の陳列棚１と、コンピュータ１６とを備えて構成される陳列棚システム１０１において、情報処理部３０１が実行する一時記憶処理および画像送信処理について以下に説明する。
［一時記憶処理］
図９は、情報処理部３０１が実行する一時記憶処理の流れを示すフローチャートである。以下、図９に示すフローチャートに従って説明する。
【００６２】
情報処理部３０１は、第１ＵＳＢポート１０８ｔにＵＳＢメモリスティック２０１ｔが装着されたことを認識すると、一時記憶処理を開始する。
【００６３】
情報処理部３０１は一時記憶処理を開始すると、装着されたＵＳＢメモリスティック２０１ｔに記憶されている画像データ５０１およびスケジュール５０２を読み込む（ＳＴ２１）。情報処理部３０１は、ＵＳＢメモリスティック２０１ｔが第１ＵＳＢポート１０８ｔから外されて情報処理部３０１がＵＳＢメモリスティック２０１ｔを認識しなくなるまで、ＳＴ２１で読み込んだ画像データ５０１およびスケジュール５０２をＲＡＭ３０４に記憶して保持する（ＳＴ２２のＮ）。ＳＴ２１で読み込まれた画像データは、部分画像データとして、スケジュール５０２とともにＲＡＭ３０４に一時記憶される。
【００６４】
一方、ＵＳＢメモリスティック２０１ｔが外されたことによって情報処理部３０１がＵＳＢメモリスティック２０１ｔを認識しなくなった場合（ＳＴ２２のＹ）、情報処理部３０１は、ＲＡＭ３０４に記憶保持していた画像データ５０１およびスケジュール５０２をクリアする（ＳＴ２３）。
【００６５】
つまり、情報処理部３０１は、第１ＵＳＢポート１０８ｔにＵＳＢメモリスティック２０１ｔが装着されている間だけ、ＵＳＢメモリスティック２０１ｔに記憶されている画像データを部分画像データとして、スケジュール５０２とともにＲＡＭ３０４に一時記憶している。
【００６６】
同様に、情報処理部３０１は、ＵＳＢポート１０８ａ、１０８ｂにＵＳＢメモリスティック２０１ａ、２０１ｂが装着された場合にも、上記と同じ処理を行って、ＵＳＢポート１０８ａ、１０８ｂに装着されている間だけ、ＵＳＢメモリスティック２０１ａ、２０１ｂに記憶されている画像データを部分画像データとして、スケジュール５０２とともにＲＡＭ３０４に一時記憶している。
［画像送信処理］
図１０は、情報処理部３０１が実行する画像送信処理の流れを示すフローチャートである。以下、図１０に示すフローチャートに従って説明する。
【００６７】
情報処理部３０１は、メインＵＳＢポート１０８ｚにＵＳＢメモリスティック２０１ｚが装着されたことを認識すると、画像送信処理を開始する。情報処理部３０１は、画像送信処理を開始するとともに経過時間の測定を開始する（ＳＴ１０）。
【００６８】
続く処理として、メインＵＳＢポート１０８ｚに装着されたＵＳＢメモリスティック２０１ｚに記憶されている画像データ５０１およびスケジュール５０２を読み込む（ＳＴ１１）。ＳＴ１１で読み込まれた画像データ５０１は、背景画像データとして、スケジュール５０２とともにＲＡＭ３０４に一時記憶される。
【００６９】
続く処理として、情報処理部３０１は、ＲＡＭ３０４に一時記憶されている背景画像データの中から、処理の対象となる画像データを特定する（ＳＴ１２）。より詳細には、情報処理部３０１は、画像送信処理を開始してから経過した経過時間を、背景画像データとともにＲＡＭ３０４に一時記憶されているスケジュール５０２と照らし合わせて、情報処理部３０１がＳＴ１２の処理を行う時点での経過時間に応じた画像ファイル名５０３をスケジュール５０２から特定する。ここで、ＵＳＢポート１０８ｔ、１０８ａもしくは１０８ｂにＵＳＢメモリスティック２０１が装着されていて一時記憶処理によってＲＡＭ３０４に部分画像データが一時記憶されている場合、情報処理部３０１は、部分画像データとともに一時記憶されているスケジュール５０２に従って、部分画像データの中から処理の対象になる画像データも特定する。つまり、情報処理部３０１がＳＴ１２に示す処理を行うことによって、各ＵＳＢポート１０８にそれぞれ装着されているＵＳＢメモリスティック２０１から、処理対象となる画像データが特定されることになる。
【００７０】
なお、ＵＳＢメモリスティック２０１に画像データが１つしか記憶されていない場合、そのＵＳＢメモリスティック２０１については処理対象となる画像データを特定する必要がない。この場合、情報処理部３０１は、ＳＴ１２で行う処理において、スケジュール５０２を参照することなく、ＵＳＢメモリスティック２０１に記憶されている唯一の画像データを処理対象の画像データと特定する。
【００７１】
フローチャートの説明に戻る。
【００７２】
各ＵＳＢメモリスティック２０１について処理対象となる画像データが特定された後に続く処理として、情報処理部３０１は、特定された送信対象の画像データを基に、プロジェクタ装置１４に送信する投影データを生成する（ＳＴ１３）。より詳細には、情報処理部３０１は、ＳＴ１２によって特定された処理対象の画像データを用いて、図８に基づいて前述したように、背景画像４０３の上に部分画像４０４を重層させて、投影データを生成する。
【００７３】
続く処理として、情報処理部３０１は、生成した投影データをプロジェクタ装置１４に送信する。プロジェクタ装置１４は、送信された投影データを受信して、スクリーン７に向けてプロジェクタ画像を投射する。
【００７４】
以上に述べたような情報処理部３０１が行うＳＴ１２からＳＴ１４に示す処理は、ＵＳＢメモリスティック２０１ｚがメインＵＳＢポート１０８ｚから外されることによって情報処理部３０１がメインＵＳＢポート１０８ｚを認識しなくなるまで繰り返される（ＳＴ１５のＮ）。
【００７５】
これに対し、メインＵＳＢポート１０８ｚに装着されているＵＳＢメモリスティック２０１ｚが外されて情報処理部３０１がメインＵＳＢポート１０８ｚを認識しなくなった場合（ＳＴ１５のＹ）、情報処理部３０１は、プロジェクタ装置１４へのデータ送信を停止し（ＳＴ１６）、ＲＡＭ３０４に一時記憶していた背景画像データおよびスケジュール５０２をクリアして（ＳＴ１７）、処理を終了する。
［作用］
図１１は、スクリーン７にプロジェクタ画像が表示された状態の陳列棚１の模式図である。
【００７６】
本実施の形態の陳列棚システム１０１によれば、外部記憶媒体であるＵＳＢメモリスティック２０１がＵＳＢポート１０８に装着されるだけで、陳列棚１の前面に設けられた棚札表示の表示内容の変更を簡略化することができる。
【００７７】
すなわち、外部記憶媒体であるＵＳＢメモリスティック２０１ｚがメインＵＳＢポート１０８ｚに装着されると、情報処理部３０１がＵＳＢメモリスティック２０１ｚに記憶されている処理対象の画像データを背景画像データとして一時記憶し、この背景画像データを投影データとしてプロジェクタ装置１４に送信する。プロジェクタ装置１４は投影データを受信すると、受信した投影データを基に一画面構成のプロジェクタ画像を投射する。投射されたプロジェクタ画像は、投影鏡２４に入射され、この投影鏡２４によって個々の分割プロジェクタ画像に分割される。分割された各プロジェクタ画像は、段部画像投影空間１７を通過した後に、陳列棚１の前面に設けられたスクリーン７の裏面側に投影される。投影された分割プロジェクタ画像は、スクリーン７の表面側まで透過投影される。
【００７８】
そこで、予め外部コンピュータ１５１上で、棚札表示の背景となる画像を投影画像領域４０１に配置して画像データを編集生成し、編集生成した画像データをＵＳＢメモリスティック２０１ｚに記憶保存しておく。このＵＳＢメモリスティック２０１ｚがメインＵＳＢポート１０８ｚに装着されると、図１１に示すように、陳列棚１の前面に設けられているスクリーン７には、棚札表示として編集生成された画像データが表示される。このとき、投影画像領域４０１ｔに配置された画像はトップスクリーン７ｔに、投影画像領域４０１ａに配置された画像はスクリーン７ａに、投影画像領域４０１ｂに配置された画像はスクリーン７ｂに、それぞれ表示される。
【００７９】
また、ＵＳＢメモリスティック２０１ｚに棚札表示の背景となる複数の画像データと、それらの複数の画像データの表示順序および表示を切り替えるタイミングを示すスケジュールとを記憶保存しておくと、スクリーン７に、スケジュールに記憶されている順序およびタイミングに従って画像データが切り替わって表示される。
【００８０】
さらに、投影画像領域４０１に、揺れる表示効果やスクロール表示効果などのアニメーション効果を持ち合わせたモデル画像を配置することによって、スクリーン７に透過投影させるプロジェクタ画像にアニメーション効果を持たせ、より顧客の目を惹くＰＯＰ広告や棚札表示を表示することができる。
【００８１】
図１２は、第１の読込部（メインＵＳＢポート１０８ｚ）に装着されている外部記憶媒体（ＵＳＢメモリスティック２０１ｚ）を差し替えることによって、プロジェクタ装置１４に送信される投影データが変化する一例を示した模式図である。
【００８２】
まず、メインＵＳＢポート１０８ｚに、野菜の販売に関する棚札表示を表現した画像データおよび画像表示を切り替えるためのスケジュールを記憶しているＵＳＢメモリスティック２０１ｚが装着されている状態を想定する。このとき、スクリーン７には、野菜の販売に関する棚札表示が、ＵＳＢメモリスティック２０１ｚに記憶されているスケジュールに従って表示が切り替わって表示されている。
【００８３】
このような棚札表示が表示されている陳列棚１において、メインＵＳＢポート１０８ｚに装着されているＵＳＢメモリスティック２０１ｚが取り外されると、プロジェクタ装置１４からプロジェクタ画像が投射されなくなる。
【００８４】
続いて、果物の販売に関する棚札表示を表現した画像データおよび画像表示を切り替えるためのスケジュールが記憶されているＵＳＢメモリスティック２０１ｚがメインＵＳＢポート１０８ｚに装着されると、情報処理部３０１は、新たに装着されたＵＳＢメモリスティック２０１ｚに記憶されている画像データおよびスケジュールを一時記憶して、スケジュールに応じて背景画像データの中からプロジェクタ装置１４に送信する画像データを特定して、特定した画像データを投影データとしてプロジェクタ装置１４に送信し直す。その結果、スクリーン７には、果物の販売に関する棚札表示を表現したプロジェクタ画像が、新たに装着されたＵＳＢメモリスティック２０１ｚに記憶されているスケジュールに従って表示が切り替わって表示される。
【００８５】
このように、第１の読込部であるメインＵＳＢポート１０８ｚに装着されているＵＳＢメモリスティック２０１ｚを差し替えるだけで、図１２に示すように、陳列棚１の前面に設けられているスクリーン７に棚札表示として表示されている表示内容を変更することができる。
【００８６】
図１３は、第２の読込部（ＵＳＢポート１０８ｔ、１０８ａ、１０８ｂ）に外部記憶媒体（ＵＳＢメモリスティック２０１ｔ、２０１ａ、２０１ｂ）が装着されることによって、プロジェクタ装置１４に送信される投影データの一部が変化する一例を示した模式図である。
【００８７】
まず、図１２に基づいて前述した状態と同様に、メインＵＳＢポート１０８ｚに、野菜の販売に関する棚札表示を表現した画像データおよび画像表示を切り替えるためのスケジュールを記憶しているＵＳＢメモリスティック２０１ｚが装着されて、スクリーン７に野菜の販売に関する棚札表示が表示されている状態を想定する。
【００８８】
このような状態の陳列棚１において、「大特価！！野菜セール」という文字表示で構成された画像データを記憶しているＵＳＢメモリスティック２０１ｔが第１ＵＳＢポート１０８ｔに装着されると、情報処理部３０１は、ＵＳＢメモリスティック２０１ｚに記憶されている画像データのうち部分画像領域４０２ｔに、ＵＳＢメモリスティック２０１ｔに記憶されている画像データを重層させて合成して投影データを生成し、生成した投影データをプロジェクタ装置１４に送信する。その結果、トップスクリーン７ｔに表示される表示内容の一部は、図１３に示すように、ＵＳＢメモリスティック２０１ｔに記憶されている画像データの表示内容に変化する。ＵＳＢメモリスティック２０１ｔにスケジュールも記憶されている場合、そのスケジュールに従ってトップスクリーン７ｔに表示される表示内容の一部が切り替わって表示される。
【００８９】
同様に、陳列棚１に陳列される品物４の価格表示で構成された画像データを記憶しているＵＳＢメモリスティック２０１ａが第２ＵＳＢポート１０８ａに装着されると、スクリーン７ａに表示される表示内容の一部は、ＵＳＢメモリスティック２０１ａに記憶されている画像データの表示内容に変化する。ＵＳＢメモリスティック２０１ａにスケジュールも記憶されている場合、そのスケジュールに従ってスクリーン７ａに表示される表示内容の一部が切り替わって表示される。
【００９０】
同様に、陳列棚１に陳列される品物４の価格表示で構成された画像データを記憶しているＵＳＢメモリスティック２０１ｂが第３ＵＳＢポート１０８ｂに装着されると、スクリーン７ｂに表示される表示内容の一部は、ＵＳＢメモリスティック２０１ｂに記憶されている画像データの表示内容に変化する。ＵＳＢメモリスティック２０１ｂにスケジュールも記憶されている場合、そのスケジュールに従ってスクリーン７ｂに表示される表示内容の一部が切り替わって表示される。
【００９１】
このように、第２の読込部であるＵＳＢポート１０８ｔ、１０８ａ、１０８ｂにＵＳＢメモリスティック２０１ｔ、１０８ａ、１０８ｂを装着するだけで、図１３に示すように、陳列棚１の前面に設けられているスクリーン７に棚札表示として表示されている表示内容の一部だけを変更させることができる。
【００９２】
なお、本実施の形態の陳列棚システム１０１では、情報処理部３０１はメインＵＳＢポート１０８ｚにＵＳＢメモリスティック２０１が装着されたことを認識した場合に画像送信処理を開始しているが、別の実施の形態として、情報処理部３０１がメインＵＳＢポート１０８ｚ以外のＵＳＢポート１０８ｔ、１０８ａ、１０８ｂにＵＳＢメモリスティック２０１が装着されたことを認識した場合に画像送信処理を開始するようにしてもよい。この場合、メインＵＳＢポート１０８ｚにＵＳＢメモリスティック２０１ｚが装着されている間、情報処理部３０１が実行する一時記憶処理によって、ＲＡＭ３０４にＵＳＢメモリスティック２０１ｚに記憶されている画像データが一時記憶される。
［別の実施の形態］
次いで、別の実施の形態を図１４および図１６に基づいて説明する。この場合、図１ないし図１３に基づいて説明した実施の一形態と同一の部分は同一符号で示し、説明も省略する。
【００９３】
本発明の別の実施の一形態の陳列棚システム１０１は、第２の読込部となるＵＳＢポートは１つだけ設けられており、部分画像領域に割り当てられる部分画像はすべて１つのＵＳＢメモリスティックに記憶されている点が、前述した実施の形態と相違する。
【００９４】
図１４は、本実施の形態のコンピュータ１６のハードウェア構成を示すブロック図である。
【００９５】
本実施の形態のＵＳＢハブ１０７は、図１４に示すように、第１の読込部となるメインＵＳＢポート１０８ｚと、第２の読込部となるサブＵＳＢポート１０８ｃとの２つのＵＳＢポート１０８を備えている。メインＵＳＢポート１０８ｚは、全てのスクリーン７（７ｔ、７ａ、７ｂ）に投影されるプロジェクタ画像全体と対応している。サブＵＳＢポート１０８ｃは、プロジェクタ画像のうち、各スクリーン７（７ｔ、７ａ、７ｂ）に投影される画像領域の一部である部分画像領域４０２に対応し、ＵＳＢメモリスティック２０１ｃを装着可能である。
【００９６】
図１５は、本実施の形態の第２の読込部（サブＵＳＢポート１０８ｃ）に装着される外部記憶媒体（ＵＳＢメモリスティック２０１）に記憶されているデータを示す模式図である。
【００９７】
本実施の形態のサブＵＳＢポート１０８ｃに装着されるＵＳＢメモリスティック２０１ｃには、３つの記憶領域Ｍｔ、Ｍａ、Ｍｂが確保されており、記憶領域Ｍｔ、Ｍａ、Ｍｂごとに独立して、複数の画像データ５０１、および、スケジュール５０２が、それぞれファイルの態様で記憶されている。このような記憶領域Ｍｔ、Ｍａ、Ｍｂは、例えば、複数のファイルをまとめて管理するフォルダである。各記憶領域Ｍｔ、Ｍａ、Ｍｂは、スクリーン７に表示されるプロジェクタ画像の画像データの領域と対応付けられている。すなわち、記憶領域Ｍｔは、プロジェクタ画像のうちトップスクリーン７ｔに投影される画像領域の一部である部分画像領域４０２ｔに対応している。また、記憶領域Ｍａは、プロジェクタ画像のうちスクリーン７ａに投影される画像領域の一部である部分画像領域４０２ａに対応している。また、記憶領域Ｍｂは、プロジェクタ画像のうちスクリーン７ｂに投影される画像領域の一部である部分画像領域４０２ｂに対応している。
【００９８】
以上のような構成の本実施の形態の陳列棚システム１０１では、情報処理部３０１は、サブＵＳＢポート１０８ｃにＵＳＢメモリスティック２０１ｃが装着されたことを認識すると、一時記憶処理を開始し、サブＵＳＢポート１０８ｃにＵＳＢメモリスティック２０１ｃが装着されている間だけ、ＵＳＢメモリスティック２０１ｃに記憶されている画像データを部分画像データとして、スケジュール５０２とともにＲＡＭ３０４に一時記憶している。
【００９９】
図１６は、第２の読込部（ＵＳＢポート１０８ｃ）に外部記憶媒体（ＵＳＢメモリスティック２０１ｃ）が装着されることによって、プロジェクタ装置１４に送信される投影データの一部が変化する一例を示した模式図である。
【０１００】
本実施の形態の陳列棚システム１０１では、ＵＳＢメモリスティック２０１ｃがサブＵＳＢポート１０８ｃに装着されると、情報処理部３０１は、ＵＳＢメモリスティック２０１ｚに記憶されている画像データの一部領域である部分画像領域４０２ｔに、ＵＳＢメモリスティック２０１ｃの記憶領域Ｍｔに記憶されている画像データを重層させる。同様に、情報処理部３０１は、部分画像領域４０２ａに、ＵＳＢメモリスティック２０１ｃの記憶領域Ｍａに記憶されている画像データを重層させる。同様に、情報処理部３０１は、部分画像領域４０２ｂに、ＵＳＢメモリスティック２０１ｃの記憶領域Ｍｂに記憶されている画像データを重層させる。このようにして情報処理部３０１は、画像データを重層させて投影データを生成し、生成した投影データをプロジェクタ装置１４に送信する。
【０１０１】
その結果、各スクリーン７に表示される表示内容の一部は、図１６に示すように、ＵＳＢメモリスティック２０１ｃの各記憶領域Ｍｔ、Ｍａ、Ｍｂに記憶されている画像データの表示内容に変化する。ＵＳＢメモリスティック２０１ｃの各記憶領域Ｍｔ、Ｍａ、Ｍｂにスケジュールも記憶されている場合、そのスケジュールに従ってスクリーン７に表示される表示内容の一部が切り替わって表示される。
【０１０２】
本実施の形態の陳列棚システム１０１によっても、前述した実施の形態の陳列棚システム１０１と同様に、陳列棚１の前面に設けられた棚札表示の表示内容の変更を簡略化することができ、また、第２の読込部であるサブＵＳＢポート１０８ｃにＵＳＢメモリスティック２０１ｃを装着するだけで、図１６に示すように、陳列棚１の前面に設けられているスクリーン７に棚札表示として表示されている表示内容の一部だけを変更させることができる。さらに、本実施の形態の陳列棚システム１０１では、１つのＵＳＢメモリスティック２０１ｃを用いるだけで、全てのスクリーン７に棚札表示として表示されている表示内容の一部を変更することができ、ＵＳＢメモリスティックの管理が容易になる。
［別の実施の形態］
次いで、さらに別の実施の形態を図１７ないし図１９に基づいて説明する。この場合、図１ないし図１６に基づいて説明した実施の一形態と同一の部分は同一符号で示し、説明も省略する。
【０１０３】
本発明の別の実施の一形態の陳列棚システム１０１は、画像データがＤＶＤ−ＲＯＭに記憶されている点が、前述した実施の形態と相違する。
【０１０４】
図１７は、本実施の形態のコンピュータ１６のハードウェア構成を示すブロック図である。
【０１０５】
本実施の形態のコンピュータ１６には、図１７に示すように、ＵＳＢハブ１０７は接続されていない。また、本実施の形態のコンピュータ１６に備わる情報処理部３０１には、ＣＤ−ＲＯＭドライブ３０７に代えて、ＤＶＤドライブ３１３がバスライン３０５を介してデータ通信自在に接続されている。ＤＶＤドライブ３１３は、ＤＶＤ−ＲＯＭ、ＣＤ−ＲＯＭ、ＣＤ−Ｒ、ＣＤ−ＲＷなどの外部記憶媒体に記憶されているデータを読み取ることが可能である。本実施の形態の陳列棚システム１０１において、ＤＶＤドライブ３１３は、第１の読取部および第２の読取部の両方の役割を兼ねる。以下、ＤＶＤドライブ３１３に外部記憶媒体であるＤＶＤ−ＲＯＭ３１４が装着された場合について説明する。
【０１０６】
図１８は、本実施の形態の読込部（ＤＶＤドライブ３１３）に装着される外部記憶媒体（ＤＶＤ−ＲＯＭ３１４）に記憶されているデータを示す模式図である。
【０１０７】
本実施の形態のＤＶＤドライブ３１３に装着されるＤＶＤ−ＲＯＭ３１４には、４つの記憶領域Ｄｚ、Ｄｔ、Ｄａ、Ｄｂが確保されており、記憶領域Ｄｚ、Ｄｔ、Ｄａ、Ｄｂごとに独立して、複数の画像データ５０１、および、スケジュール５０２が、それぞれファイルの態様で記憶されている。各記憶領域Ｄｚ、Ｄｔ、Ｄａ、Ｄｂは、スクリーン７に表示されるプロジェクタ画像の画像データの領域と対応付けられている。すなわち、記憶領域Ｄｚは、全てのスクリーン７（７ｔ、７ａ、７ｂ）に投影されるプロジェクタ画像全体と対応している。また、記憶領域Ｄｔは、プロジェクタ画像のうちトップスクリーン７ｔに投影される画像領域の一部である部分画像領域４０２ｔに対応している。また、記憶領域Ｄａは、プロジェクタ画像のうちスクリーン７ａに投影される画像領域の一部である部分画像領域４０２ａに対応している。また、記憶領域Ｄｂは、プロジェクタ画像のうちスクリーン７ｂに投影される画像領域の一部である部分画像領域４０２ｂに対応している。
【０１０８】
以上のような構成の本実施の形態の陳列棚システム１０１では、情報処理部３０１は、ＤＶＤドライブ３１３にＤＶＤ−ＲＯＭ３１４が装着されたことを認識すると、一時記憶処理および画像送信処理を開始する。
【０１０９】
図１９は、読込部（ＤＶＤドライブ３１３）に外部記憶媒体（ＤＶＤ−ＲＯＭ３１４）が装着されることによって、プロジェクタ装置１４に送信される投影データが変化する一例を示した模式図である。
【０１１０】
本実施の形態の陳列棚システム１０１では、ＤＶＤ−ＲＯＭ３１４がＤＶＤドライブ３１３に装着されると、情報処理部３０１は、記憶領域Ｄｚに記憶されている画像データのうち、部分画像領域４０２ｔに記憶領域Ｄｔに記憶されている画像データを、部分画像領域４０２ａに記憶領域Ｄａに記憶されている画像データを、部分画像領域４０２ｂに記憶領域Ｄｂに記憶されている画像データを、それぞれ重層させて合成して投影データを生成し、生成した投影データをプロジェクタ装置１４に送信する。
【０１１１】
その結果、スクリーン７に表示される表示内容は、図１９に示すように、ＤＶＤ−ＲＯＭ３１４の各記憶領域Ｄｚ、Ｄｔ、Ｄａ、Ｄｂに記憶されている画像データを合成した表示内容に変化する。記憶領域Ｄｔ、Ｄａ、Ｄｂに画像データが記憶されていない場合、スクリーン７には、記憶領域Ｄｚに記憶されている画像データがそのまま表示される。ＤＶＤ−ＲＯＭ３１４の各記憶領域Ｄｚ、Ｄｔ、Ｄａ、Ｄｂにスケジュールも記憶されている場合、そのスケジュールに従ってスクリーン７に表示される表示内容の一部が切り替わって表示される。
【０１１２】
本実施の形態の陳列棚システム１０１によっても、前述した実施の形態の陳列棚システム１０１と同様に、外部記憶媒体であるＤＶＤ−ＲＯＭ３１４がＤＶＤドライブ３１３に装着されるだけで、陳列棚１の前面に設けられた棚札表示の表示内容の変更を簡略化することができる。さらに、本実施の形態の陳列棚システム１０１では、コンピュータ１６に備わるＤＶＤドライブ３１３を用いて棚札表示を実現しているため、新たにコンピュータ１６にＵＳＢハブ１０７を設ける必要はない。
【０１１３】
なお、本実施の形態では、画像データはＤＶＤ−ＲＯＭに記憶されているが、画像データを格納する外部記憶媒体はＤＶＤ−ＲＯＭに限られること無く、ＣＤ−ＲＯＭ、ＣＤ−Ｒ、ＣＤ−ＲＷ等の可搬性のある外部記憶媒体でも実施可能であることは言うまでもない。
【０１１４】
また、本実施の形態で示したように１つのＤＶＤドライブ３１３にＤＶＤ−ＲＯＭ３１４を装着させることによって陳列棚１の前面に設けられているスクリーン７に棚札表示を制御する実施態様と同様に、１箇所のＵＳＢポートを備え、このＵＳＢポートにスクリーン７の全体の領域およびスクリーン７ｔ、７ａ、７ｂの一部の領域のそれぞれに対応する合計４つの記憶領域をメモリ内に確保した１個のＵＳＢメモリスティックを装着させることによって、陳列棚１の前面に設けられているスクリーン７に棚札表示を行う実施態様も、当然ながら考えられる。
【図面の簡単な説明】
【０１１５】
【図１】陳列棚システムの全体の模式図である。
【図２】陳列棚の全体の外観斜視図である。
【図３】陳列棚の縦断断面図である。
【図４】コンピュータの全体の外観斜視図である。
【図５】コンピュータのハードウェア構成を示すブロック図である。
【図６】プロジェクタ装置から投射されるプロジェクタ画像の基礎となる投影データを編集生成するためのコンピュータ上での仕組みを例示する模式図である。
【図７】コンピュータ上で編集生成されたプロジェクタ画像の基礎となる投影データの一例を示す模式図である。
【図８】外部記憶媒体に記憶されているデータを示す模式図である。
【図９】情報処理部が実行する一時記憶処理の流れを示すフローチャートである。
【図１０】情報処理部が実行する画像送信処理の流れを示すフローチャートである。
【図１１】スクリーンにプロジェクタ画像が表示された状態の陳列棚の模式図である。
【図１２】第１の読込部に装着されている外部記憶媒体を差し替えることによって、プロジェクタ装置に送信される投影データが変化する一例を示した模式図である。
【図１３】第２の読込部に外部記憶媒体が装着されることによって、プロジェクタ装置に送信される投影データの一部が変化する一例を示した模式図である。
【図１４】コンピュータのハードウェア構成を示すブロック図である。
【図１５】第２の読込部に装着される外部記憶媒体に記憶されているデータを示す模式図である。
【図１６】第２の読込部に外部記憶媒体が装着されることによって、プロジェクタ装置に送信される投影データの一部が変化する一例を示した模式図である。
【図１７】コンピュータのハードウェア構成を示すブロック図である。
【図１８】外部記憶媒体に記憶されているデータを示す模式図である。
【図１９】読込部に外部記憶媒体が装着されることによって、プロジェクタ装置に送信される投影データが変化する一例を示した模式図である。
【符号の説明】
【０１１６】
１…陳列棚、７…スクリーン、１４…プロジェクタ装置、１９ａ…プロジェクタ設置部、１０１…陳列棚システム、１０８…ＵＳＢポート（読込部）、１０８ｚ…メインＵＳＢポート（第１の読込部）、１０８ｔ…第１ＵＳＢポート（第２の読込部）、１０８ａ…第２ＵＳＢポート（第２の読込部）、１０８ｂ…第３ＵＳＢポート（第２の読込部）、１０８ｃ…サブＵＳＢポート（第２の読込部）、２０１…ＵＳＢメモリスティック（外部記憶媒体）、３０１…情報処理部、５０１…画像データ、５０２…スケジュール、３１３…ＤＶＤドライブ（第１の読込部、第２の読込部）、３１４…ＤＶＤ−ＲＯＭ（外部記憶媒体）
【図１】
2008194204.tif 000003
【図２】
2008194204.tif 000004
【図３】
2008194204.tif 000005
【図４】
2008194204.tif 000006
【図５】
2008194204.tif 000007
【図６】
2008194204.tif 000008
【図７】
2008194204.tif 000009
【図８】
2008194204.tif 000010
【図９】
2008194204.tif 000011
【図１０】
2008194204.tif 000012
【図１１】
2008194204.tif 000013
【図１２】
2008194204.tif 000014
【図１３】
2008194204.tif 000015
【図１４】
2008194204.tif 000016
【図１５】
2008194204.tif 000017
【図１６】
2008194204.tif 000018
【図１７】
2008194204.tif 000019
【図１８】
2008194204.tif 000020
【図１９】
2008194204.tif 000021